(57)【要約】  少なくとも1つの第1のプロテーゼ部品(3)を少なくとも1つの第2のプロテーゼ部品(4)と接続するための連結装置(1)であって、プロテーゼ部品(3,4)のうちの少なくとも1つが補綴具を備えるかあるいは補綴具を備えるのに適する連結装置。連結装置(1)は少なくとも1つの第1の連結部品(8)と少なくとも1つの第2の連結部品(9)とを備え、これらは互いに接続されるのに適しており、接続位置において少なくとも1つのロック装置(48)により一時的に互いにロックされる。連結部品(8,9)は少なくとも1つの係合解除装置(62)により互いから係合解除される。第1の連結部品(8)は補綴具(7)のための少なくとも1つの第1のホルダー(84)を含み、第2の連結部品(9)は補綴具(7)のための少なくとも1つの第2のホルダー(89)を含む。補綴具は補綴具のための第1のホルダー(84)および補綴具のための第2のホルダー(89)のうちの少なくとも1つに取り付けられるかあるいはこれと一体化される。
2021528160.tif 000002
【特許請求の範囲】
【請求項１】
少なくとも1つの第1のプロテーゼ部品(3)を少なくとも1つの第2のプロテーゼ部品(4)と接続するための連結装置(1)であって、前記プロテーゼ部品(3、4)のうちの少なくとも1つは、補綴具を備えるか、あるいは補綴具を備えるのに適しており、前記連結装置(1)は、前記第1のプロテーゼ部品(3)、あるいは前記第2のプロテーゼ部品(4)に接続された少なくとも1つの第1の連結部品(8)と、前記第2のプロテーゼ部品(4)、あるいは前記第1のプロテーゼ部品(3)に接続された少なくとも1つの第2の連結部品(9)と、を備え、前記第1の連結部品(8)は、雌部材を含む少なくとも1つの第1の連結部材(11)を含み、前記第2の連結部品(9)は、雄部材(26)を含む少なくとも1つの第2の連結部材(25)を含み、前記連結部材(11、25)は、互いに接続されるのに適しており、相互接続位置において、少なくとも1つのロック装置(48)により互いに一時的にロックし、前記連結部材(11、25)は、少なくとも1つの係合解除装置(62)により互いから係合解除され、前記ロック装置(48)は、前記雄部材(26)における第1のトラック(31)内に一時的にロックするのに適した少なくとも1つの第2のフラップ部品(60)を含む少なくとも1つの第1のフラップ(53)と、前記雄部材(26)の第2のトラック(31)内に一時的にロックされる少なくとも1つの第2のフラップ部品(60)を含む少なくとも1つの第2のフラップ(54)と、を含む、連結装置(1)において、前記係合解除装置(62)は、少なくとも1つの第1の係合解除部材(67)と、少なくとも1つの第2の係合解除部材(73)とを含み、前記連結部材(11)および(25)の係合解除中に、前記少なくとも1つの第1の係合解除部材(67)は、前記第1のフラップ(53)の前記第1のフラップ部品(59)に押し付けられ、前記少なくとも1つの第2の係合解除部材(73)は、前記第2のフラップ(54)の前記第1のフラップ部品(59)に押し付けられ、それによって、前記第1のフラップ(53)は、旋回されて前記雄部材(26)内の前記第1のトラック(31)との係合から外れ、前記第2のフラップ(54)は、旋回されて前記雄部材(26)内の前記第2のトラック(31)との係合から外れ、前記第1の連結部品(8)は、補綴具(7)のための少なくとも1つの第1のホルダー(84)を含み、前記第2の連結部品(9)は、補綴具(7)のための少なくとも1つの第2のホルダー(89)を含み、補綴具は、補綴具のための前記第1のホルダー(84)および補綴具のための前記第2のホルダー(89)のうちの少なくとも1つに取り付けられるか、あるいはこれと一体化されることを特徴とする、連結装置。
【請求項２】
前記雌部材(13)は正方形断面を有し、前記雄部材(26)は正方形断面を有し、これらの寸法は、これらの間の遊びを制限するために互いに一致していることを特徴とする、請求項1に記載の連結装置(1)。
【請求項３】
前記雌部材(13)は、互いから距離を置いて離間された、少なくとも1つの第1の表面(15)および少なくとも1つの第2の表面(16)を含み、前記雄部材(26)は、正方形断面を有し、前記第1の表面(15)と前記第2の表面(16)との間の前記距離は、前記雄部材(26)の寸法に一致することを特徴とする、請求項1に記載の連結装置(1)。
【請求項４】
前記雌部材(13)は、前記第1の連結部品(8)に取り付けられたインサート(14)に取り付けられるか、あるいはこれと一体化されることを特徴とする、請求項1から3のいずれか一項に記載の連結装置(1)。
【請求項５】
前記フラップ(53、54)は、前記インサート(14)に取り付けられることを特徴とする、請求項4に記載の連結装置(1)。
【請求項６】
本体(10)は、前記プロテーゼ(2)の前記第1の部品(3)への少なくとも1つの第1の取り付け装置(42)を含むことを特徴とする、請求項1から5のいずれか一項に記載の連結装置(1)。
【請求項７】
本体(10)は、前記プロテーゼ(2)の前記第2の部品(4)への少なくとも1つの取り付け装置(45)を含むことを特徴とする、請求項1から6のいずれか一項に記載の連結装置(1)。
【請求項８】
前記連結装置(1)は、少なくとも1つの減衰装置(95)を備えることを特徴とする、請求項1から7のいずれか一項に記載の連結装置(1)。
【請求項９】
前記減衰装置(95)は、前記第1の連結部品(8)の前記インサート(14)の少なくとも1つの表面と、前記第2の連結部品(9)の少なくとも1つの表面との間に配置された、少なくとも1つの材料層(96)を含むことを特徴とする、請求項8に記載の連結装置(1)。
【請求項１０】
前記補綴具は、少なくとも1つのアキュムレータ(97)を含み、前記第1の連結部品および前記第2の連結部品は、エネルギー伝達のための電気コネクタを含むことを特徴とする、請求項9に記載の連結装置(1)。
【請求項１１】
前記係合解除装置(62)の前記第1の係合解除部材(67)および前記第2の係合解除部材(73)は、係合解除中に、前記第2の連結部品(9)の半径方向または実質的に半径方向に操作されることを特徴とする、請求項1から10のいずれか一項に記載の連結装置(1)。
【請求項１２】
補綴具(7)のための前記第1のホルダー(84)は、少なくとも1つの第1のプレート(86)および縁部(87)を含む、少なくとも1つのトレイ型部品(85)を含むことを特徴とする、請求項1から11のいずれか一項に記載の連結装置(1)。
【請求項１３】
補綴具(7)のための前記第2のホルダー(89)は、少なくとも1つの第2のプレート(91)および第2のエッジ(92)を含む、少なくとも1つのトレイ型部品(90)を含むことを特徴とする、請求項1から12のいずれか一項に記載の連結装置(1)。
【請求項１４】
前記雄部材(26)は、その自由端部(33)に、少なくとも1つの操縦装置(34)を含み、前記少なくとも1つの操縦装置(34)は、少なくとも1つの第1の第2の凹部(111)および第2の第2の凹部(111)を含み、前記少なくとも1つの第1の第2の凹部(111)および前記第2の第2の凹部(111)は、前記第1の連結部品(8)および前記第2の連結部品(9)によって連結されると、前記第1の連結部品(8)の少なくとも1つの横向きガイドピン(106)と係合するのに適し、それによって、前記第1の連結部品(8)および前記第2の連結部品(9)は互いに操縦されることを特徴とする、請求項1から13のいずれか一項に記載の連結装置(1)。
【発明の詳細な説明】
【技術分野】
【０００１】
本発明は、特許請求の範囲によるプロテーゼのための連結装置に関連する。
【背景技術】
【０００２】
さまざまな理由で、多くの人々が、自身の四肢のうち少なくとも1つの切断部分、例えば、下肢の切断部分を有する。例えば、切断は、事故、疾患、または他の事象によって引き起こされ得る。四肢の一部、例えば、脚の一部を失うことは、いくつかの問題を伴う。例えば、切断を受けた人の可動性は、通常減少し、種々の種類の活動を追求する人間の可能性が制限される。
【０００３】
切断を受けた人の前述した問題を低減するため、プロテーゼおよび同様の補助具の種々の変形例が開発されてきた。いくつかの異なる種類のプロテーゼが既に発明されているにもかかわらず、これらの以前のプロテーゼの使用には依然として問題がある。
【０００４】
例えば、プロテーゼの連結装置に関する問題がある。連結装置は、少なくとも1つの第1の連結部品および少なくとも1つの第2の連結部品を含み、これらと、プロテーゼおよび人間の肢が接続される。既存の連結装置に関する1つの問題は、扱いにくく、それらを接続および分離するのに時間がかかることである。連結装置は多くの場合、手および手の力のみで分離または接続され得ないようなデザインのものであり、それらは通常、接続および分離されるのにツールを必要とする。
【０００５】
既知の迅速接続連結器に関する別の問題は、連結装置の第1の連結部品と第2の連結部品との間の遊びの存在である。連結装置の遊びは、使用中、特に歩行などの場合に、不快感を引き起こす。遊びは、スリーブを通って骨へと伝わり、これにより心地悪さを生じる。遊びはまた、例えば、イライラさせる、カチッという音および振動の形態で、ノイズを生じる。
【０００６】
連結装置を備えたプロテーゼの別の問題は、プロテーゼの機能性を減少させることなく、補綴具(美容カバー)をプロテーゼに取り付けることである。補綴具は通常、好ましくは、シリコーンカバーに封入された発泡材料からなる。補綴具に関する問題は、連結装置の係合解除(解放)機構、すなわち、連結具の第1の部品と第2の部品とを分離させる解放装置へのアクセスを妨げることである。連結機構(装置)の既知のデザインに関する問題は、連結機構が一緒に接続され分離されるために、補綴具に大きな凹部または孔を必要とすることである。これらの凹部および/または孔は、自然な外観を与える補綴具の主要な機能を阻害する。
【０００７】
先行技術
Ferrier Couplers社は、プロテーゼのための連結装置のいくつかの変形例を販売している。Ferrier Couplerの連結装置は、雄部材および雌部材を含み、これらは互いに接続されている。Ferrierの連結装置は、実質的に本発明による連結装置とは異なる。例えば、Ferrierの連結装置は、雌部材および雄部材をロックおよび解放するのにツールが使用されることを必要とする。
【０００８】
Ferrierの米国特許第5326352号(特許文献1)は、プロテーゼ連結装置の変形例を記載する。連結装置は、第1の部品および第2の部品を含み、これらは互いに接続されるのに適している。その説明による連結装置は、実質的に本発明によるデザインとは異なる。例えば、その説明によると、そのデザインは、雌部材を雄部材に対して互いにロックするか、または雌部材を雄部材から解放するためにツールを必要とする。このデザインは、補綴具に開口部がなければロック部材がアクセスされ得ないので、補綴具によって封入された場合に機能性を排除する。
【０００９】
プロテーゼのための調節可能な連結装置の変形例が、スウェーデン特許第446373号(特許文献2)に記載されている。このデザインは、いわゆるピラミッド状連結具からなる。ピラミッド状連結具は、第1の連結部品と、少なくとも1つの第2の連結部品と、を含む。その明細書によるデザインは、本発明によるデザインとは異なる。例えば、その明細書によると、これは、ツールなしで分離することができない。このデザインは、補綴具に開口部がなければロック部材がアクセスされ得ないので、補綴具によって封入された場合に機能性を排除する。
【００１０】
米国特許第6981992号(特許文献3)は、プロテーゼ下肢に含まれる連結装置に、スリーブを接続するためのアダプタの変形例を記載している。その明細書による連結装置は、実質的に本発明によるデザインとは異なる。例えば、その明細書によると、このデザインは、雌部材を雄部材に対して互いにロックするか、または雌部材を雄部材から解放するためにツールを必要とする。このデザインは、補綴具に開口部がなければロック部材がアクセスされ得ないので、補綴具によって封入された場合に機能性を排除する。
【００１１】
プロテーゼのためのロック機構の変形例が、スウェーデン特許第518263号(特許文献4)に記載されている。その明細書によるロック機構は、実質的に本発明によるデザインとは異なる。例えば、プロテーゼの連結具は、本発明に記載されるものとは完全に異なる技術により達成される。このデザインは、補綴具に開口部がなければロック部材がアクセスされ得ないので、補綴具によって封入された場合に機能性を排除する。
【００１２】
プロテーゼのための迅速連結具の変形例が、米国特許第4564365号(特許文献5)に記載されている。このデザインは、実質的に本発明によるデザインとは異なる。このデザインは、解放部材へのアクセスを可能にする大きな開口部なしでは、ほとんど補綴具に封入され得ない。したがって、補綴具の現実的な形態は、本発明によるデザインと同じような方法で可能とはならない。
【００１３】
パイプのための連結装置の変形例が米国特許第5435604号(特許文献6)に記載されている。このデザインは、補綴具に封入されたプロテーゼ部品を接続するのにほとんど使用され得ない。連結装置は、解放部材へのアクセスを可能にするために、補綴具に接続される場合に大きな開口部を必要とする。したがって、補綴具の現実的な形態は、本発明によるデザインと同じような方法で可能とはならない。
【先行技術文献】
【特許文献】
【００１４】
【特許文献１】米国特許第5326352号明細書
【特許文献２】スウェーデン特許第446373号明細書
【特許文献３】米国特許第6981992号明細書
【特許文献４】スウェーデン特許第518263号明細書
【特許文献５】米国特許第4564365号明細書
【特許文献６】米国特許第5435604号明細書
【発明の概要】
【発明が解決しようとする課題】
【００１５】
本発明の目的は、プロテーゼのための既存の種類の連結装置に関する、前述した問題または以下の説明で言及する問題のうちの少なくとも1つを、排除すること、または実質的に低減することである。この目的は、本発明による連結装置により達成される。
【００１６】
本発明の連結装置の以下の詳細な説明では、参照、および以下の図面の参照が行われる。図面は概略的なものであり、連結装置が含まれる技術分野の専門家には明らかである、連結装置のいくつかの部分は省略されている場合があることに留意されたい。
【図面の簡単な説明】
【００１７】
【図１Ａ】プロテーゼおよびユーザの下肢に接続された連結装置を概略的に示す図である。
【図１Ｂ】プロテーゼおよびユーザの下肢に接続された連結装置を概略的に示す図である。
【図２Ｃ】第1の実施形態による連結装置の分解組立図である。
【図２Ｄ】連結装置の第2の断面図である。
【図３Ａ】例示的なインサートおよび包含されるブラケットを示す図である。
【図３Ｂ】例示的なインサートおよび包含されるブラケットを示す図である。
【図３Ｃ】例示的なインサートおよび包含されるブラケットを示す図である。
【図３Ｄ】例示的なインサートおよび包含されるブラケットを示す図である。
【図４Ａ】雄部材を横からさらに詳細に示す図である。
【図４Ｂ】雄部材を上からさらに詳細に示す図である。
【図５】いくつか除外されている、相互接続された雄部材および雌部材を示す図である。
【図６Ａ】例示的なフラップを示す図である。
【図６Ｂ】例示的なフラップを示す図である。
【図７Ａ】第2の実施形態による連結装置を示す図である。
【図７Ｂ】第2の実施形態による連結装置の分解組立図を示す図である。
【図８】減衰装置をさらに詳細に示す図である。
【図９Ａ】本発明の代替的な実施形態を示す図である。
【図９Ｂ】本発明の代替的な実施形態を示す図である。
【図９Ｃ】本発明の代替的な実施形態を示す図である。
【図１０】連結装置の追加の実施形態を示す図である。
【図１１Ａ】連結装置の代替的な実施形態を断面で示す図である。
【図１１Ｂ】第2の代替的な実施形態の分解組立図である。
【図１２Ａ】第1の接続部品の代替的な実施形態を示す図である。
【図１２Ｂ】第1の接続部品の代替的な実施形態を示す図である。
【図１３Ａ】第2の接続部品の代替的な実施形態を示す図である。
【図１３Ｂ】第2の接続部品の代替的な実施形態を示す図である。
【図１３Ｃ】第2の接続部品の代替的な実施形態を示す図である。
【図１４Ａ】インサートの代替的な実施形態を示す図である。
【図１４Ｂ】インサートの代替的な実施形態を示す図である。
【図１５Ａ】フラップの代替的な実施形態を示す図である。
【図１５Ｂ】フラップの代替的な実施形態を示す図である。
【図１６Ａ】連結装置に接続された例示的なバッテリーパックを示す図である。
【図１６Ｂ】連結装置に接続された例示的なバッテリーパックを示す図である。
【図１７Ａ】代替的な実施形態による接続された連結装置を示す図である。
【図１７Ｂ】代替的な実施形態による接続された連結装置を示す図である。
【図１７Ｃ】代替的な実施形態による接続された連結装置を示す図である。
【発明を実施するための形態】
【００１８】
図面を参照して、連結装置1がここでさらに詳細に説明される。例示的な実施形態では、連結装置1は、プロテーゼ2または同様のものにおいて連結装置として使用される。連結装置1は、好ましくは、プロテーゼ2の少なくとも1つの第1の部品3と、プロテーゼ2の少なくとも1つの第2の部品4とを接続するのに使用される。プロテーゼ2における適用での連結装置1の使用が本特許出願で説明されるが、これは、連結装置1が使用に適切である他の適用における連結装置1の使用を排除するものではない。さらに、本発明は、少なくとも1つの連結装置1を含む、プロテーゼシステムなどのシステムとして定義されることが考えられる。
【００１９】
プロテーゼ2の第1の部品3は、人間の切断された脚5の残りの断端(肢、部分)への、直接的または間接的な接続に適している。例示的な実施形態では、ユーザの脚5の残りの部分は、ユーザの下肢の一部からなり、プロテーゼ2は、足および下肢の一部など、下肢の切断された部分に似ている。
【００２０】
好ましくは、第1の部品3は、少なくとも1つのスリーブ6、取り付け装置または類似のものによって、ユーザの脚5の残りの部分に接続された、プロテーゼ2からなる。スリーブ6は、プロテーゼの分野における以前から知られている技術からなり、したがって、本特許出願ではさらに詳細には説明しない。図1Bは、プロテーゼ2における連結装置1の使用を、接続された補綴具(美容カバー)7と共に示す。プロテーゼ部品3および4のうちの少なくとも1つは、補綴具7を備えるか、または補綴具を装着されるのに適している。図1Aは、接続された補綴具7のない、プロテーゼにおける連結装置1の使用を示す。補綴具7は、例えば、シリコーンソックスによって封入された発泡材料からなる。補綴具7は、ある種の以前から知られている技術からなり、したがって、本特許出願ではさらに詳細に説明しない。例えば、補綴具7は、例えばシリコーンによって封入された硬質プラスチックまたは代わりに発泡材料のカバーまたは類似のものからなることができる。
【００２１】
連結装置1は、少なくとも1つの第1の連結部品8と、少なくとも1つの第2の連結部品9と、を含む。連結装置1の第1の連結部品8および第2の連結部品9は、互いに接続され、かつ互いから分離され得るように、設計される。本発明の連結装置1の特定の特徴は、その接続および分離が手のみを使用して、ツールなしで達成され得ることである。第1の連結部品8および第2の連結部品9の接続および分離は、連結装置1が完全にまたは部分的に補綴具(美容カバー)に封入されるかまたは補綴具(美容カバー)によって囲まれた場合であっても、行われ得る。
【００２２】
例示的な実施形態における第1の連結部品8は、少なくとも1つの第1の本体10、部品、フレームまたは類似のものを含む。第1の本体10は、少なくとも1つの第1の連結部材11を含む。第1の本体の10の形態および寸法は、本発明の範囲内でさまざまであってよい。本体は、本体10の軸方向に貫通する少なくとも1つの孔12を含む。孔12は、本体10の下部孔からなるか、または本体10を通る貫通孔とすることができる。代替的な実施形態では、孔12の断面の形状は、丸い形状および/または円筒形の形状から逸脱していてよい。
【００２３】
例示的な実施形態では、第1の連結部材11は、本体10における少なくとも1つの雌部材13もしくは類似のものからなるか、またはこれを含む。雌部材13は、少なくとも1つの孔、あるいは凹部または空間を含む。雌部材13は、孔12の最も単純な形態で構成される。
【００２４】
例示的な実施形態では、雌部材13は、完全にまたは部分的に、インサート14に接続されるか、またはこれと一体化される。インサート14は、第2の連結部品9に取り付けられる。インサート14は、孔12の壁への挿入および接続に適している。取り付けは、以前から知られており、目的に適した少なくとも1つのコネクタ、例えば、ねじ、ボルト継ぎ手、または目的に適した他の接続手段によって達成される。さらなる実施形態では、インサートは、第1の連結部品8と一体化される。雌部材13は、例示的な実施形態では、孔12の一部と、インサート14内で互いから距離を置いて位置する、2つの対向する平行な表面である第1の表面15と第2の表面16との間の空間と、からなる。
【００２５】
図3A〜図3Dを参照すると、インサート14の第1の実施形態が示されている。例示的な実施形態では、インサートは、少なくとも1つのジャンパー型部品17を含む。例示的な実施形態では、ジャンパー型部品17は、少なくとも1つの第1の装着部品(ファスナ)18と、少なくとも1つの第2の装着部品(ファスナ)19と、少なくとも1つの第3の装着部品(中間装着部品)20と、を含む。例示的な実施形態では、第1の装着部品18および第2の装着部品19は、孔12の壁に対して半径方向に成形された断面を有する。装着部品18および19の軸方向端部のうちの1つにおいて、中間装着部品20、または取り付け部品は、装着部品18および19に接続される。隙間21が第1の表面15と第2の表面16との間に作り出される。中間装着部品20は、少なくとも1つの第1の操縦表面22と、少なくとも1つの第2の操縦表面23と、を含む。代替的な実施形態では、ジャンパー型部品17は、目的に適した別のデザインおよび形状のものとすることができる。
【００２６】
第2の連結部品9は、少なくとも1つの第2の本体24、部品、フレームまたは類似のものを含む。第2の本体24の形状(形態)は、本発明の範囲内でさまざまであってよい。第2の本体24は、少なくとも1つの第2の連結部材25を含む。例示的な実施形態では、第2の連結部材25は、突出する雄部材26、ペグ(だぼ)、もしくは類似のものからなるか、またはこれを含む。したがって、第2の連結部材25は、雄部品、雄部材または類似のものとも呼ばれ得る、連結部材からなる。突出する雄部材は、その例示的な実施形態では、連結部品9の軸方向に向けられる。雄部材26は、雌部材13への接続に適している。
【００２７】
図4Aおよび図4Bを参照すると、雄部材の第1の実施形態がさらに詳細に示されている。突出する雄部材26、ペグの形状および寸法は、本発明の範囲内でさまざまであってよい。雄部材26、ペグは、その例示的な実施形態では、正方形の断面、または実質的に正方形の断面を有する。代替的な実施形態では、雄部材26の断面の形状は、正方形の断面から逸脱し得る。例示的な実施形態における四角形の断面は、正方形である。それぞれの各コーナーは、ベベル、半径、または類似のものを含み得る。雄部材26、ペグは、第1の側面27と第1の反対側面28、および第2の側面29と第2の反対側面30を含む。第1の側面27および第1の反対側面28、または代わりに第2の側面29および第2の反対側面30は、接続中に、雌部材13の第1の表面15、エッジ、および雌部材の第2の表面16、エッジに寄りかかるのに適している。第1の表面15および第2の表面16は、平行または実質的に平行であり、互いの間に距離を置いて位置付けられる。雄部材26、ペグの寸法、すなわち、第1の表面27と反対側の表面28との間の距離、および第2の表面29と第2の反対側の表面30との間の距離は、雌部材の第1の表面15と雌部材の第2の表面16との間の距離に従って調節される。雄部材26、ペグの長さは、連結部品8の軸方向において、雌部材13の第1の表面15の長さに従って、また、雌部材13の第2の表面16の長さに従って、さらに調節される。
【００２８】
突出する雄部材26は、少なくとも1つのトラック31、溝、ベベル、ノッチ、または類似のものを含む。トラックは、ロック表面32を含む。例示的な実施形態では、雄部材26は、少なくとも1つの第1のトラック31と、少なくとも1つの第2のトラック31と、を含む。トラック31は、雄部材26、ペグの2つの対向する側面、例えばペグ26の第1の側面27およびペグ26の第1の反対側面28に、あるいはペグ26の第2の側面29およびペグ26の第2の反対側面30に、配置される。このトラック31、または代わりにこれらのトラック31は、この実施形態ではV字型である。しかしながら、これは、そのトラック31、またはそれらのトラック31が、目的に適した別の形態(形状)を有することを排除するものではない。V字型トラック(溝、ノッチ)31の角度は、本発明の範囲内でさまざまであってよい。
【００２９】
再び図4Aを参照すると、雄部材26は、その自由端部33に、少なくとも1つの操縦装置34、位置付け(ガイド)装置を含んで示されており、これは、第1の連結部材11、雌部材13の、第2の連結部材25、雄部材26との接続中に、それらの相互位置を操縦するのに適している。操縦装置34は、少なくとも1つの第1の操縦エッジ35、少なくとも1つの第2の操縦エッジ36、および1つの中間トラック37、溝、ノッチなどを含む。このデザインはまた、少なくとも1つの第3の操縦エッジ38と、少なくとも1つの第1の凹部39と、を含む。このデザインはまた、少なくとも1つの第1のベベル40と、少なくとも1つの第2のベベル41と、を含む。
【００３０】
例えば、雄部材26の断面は、4つより多いかまたは少ないエッジを有し得る。雄部材26の断面はまた、非円形の形態、例えば楕円形の断面とすることもできる。第1の連結部材11および第2の連結部材25がそれぞれ、第1の連結部材11および第2の連結部材25の相互接続を可能にし、遊びまたは類似のものが実質的に最小化または排除される、断面を有することが必須である。
【００３１】
第1の連結部品8は、その他端部に取り付け装置42を含み、これは、スリーブ6に、またはユーザの脚に接続された別の取り付け装置に、接続されるのに適している。例示的な実施形態では、取り付け装置42は、第1のピラミッド状カプラ43からなる。ピラミッド状カプラ43は、以前から知られているデザインからなり、したがってさらに詳細には説明しない。第1のピラミッド状カプラ43は、雌部品44および雄部品(不図示)を含む。これらの雌部品または雄部品のうちの一方はスリーブに接続され、他方は連結部品に接続される。例示的な実施形態では、雄部品はスリーブ6に接続される。第1のピラミッド状カプラ43の雌部品44は、その例示的な実施形態では、本体10と一体化される。代替的な実施形態では、取り付け装置は、第1の連結部品8の本体10に取り付けられた、別個の部品である。代替的な実施形態では、取り付け装置42は、目的に適した別のデザインからなる。ピラミッド状カプラ43の雄部品および雌部品は、不図示の止めねじまたは類似のものにより、共にねじで締められる。
【００３２】
第2の連結部品9は、その他端部に第2の取り付け装置45を含み、これは、プロテーゼ3に、またはユーザの脚に接続された別の取り付け装置に、接続されるのに適している。例示的な実施形態では、第2の取り付け装置45は、第2のピラミッド状カプラ46からなる。第2のピラミッド状連結具46は、以前から知られているデザインからなり、したがってさらに詳細には説明しない。第2のピラミッド状カプラ46は、雌部品47および雄部品(不図示)を含む。雌部品または雄部品のうちの一方はプロテーゼに接続され、雌部品または雄部品のうちの他方は第2の連結部品9に接続される。例示的な実施形態では、雄部品はプロテーゼ3に接続される。取り付け装置45の雌部品47は、その例示的な実施形態では、インサートと一体化される。代替的な実施形態では、取り付け装置45は、目的に適した別の取り付け装置からなる。
【００３３】
雄部材26および雌部材13のデザイン、形状、および寸法は、相互接続された位置において、雄部材26と雌部材13との間の相互移動のリスクを減少させるのに適し、それによって、雄部材26と雌部材13との間に遊びが生じるリスクを減少させる。雌部材13および雄部材26の接続表面、接触表面(嵌合表面)などの間の遊びを減少させるために、それらの公差は、目的に適した遊びを提供し、互いに適切である。
【００３４】
第1の連結部品8の第1の連結部材11と第2の連結部品9の第2の連結部材25とを接続する際、雄部材26は雌部材13に挿入される。第1の連結部品8の第1の連結部材11を第2の連結部品9の第2の連結部材25と共にロックするため、連結装置1は、少なくとも1つのロック装置48、または代わりに固定(ラッチ)装置もしくは類似のものを含む。ロック装置48は、少なくとも1つのブラケット49、取り付け装置または類似のものを含み、これにより、ロック装置48は第1の連結部品8に接続される。ブラケット49は、少なくとも1つのファスナ50、例えば少なくとも1つのねじ、ねじ継ぎ手、または他の適切なファスナにより第2の連結部品に取り付けられる。第1の連結部品8へのブラケット49の接続は、接着または類似のものによって達成されてもよい。連結部品8の自由形式製造(3D印刷)では、ブラケット49は、好ましくは第1の連結部品8と一体化される。ねじは、少なくとも1つの孔に接続され得る。例示的なロック装置48は、少なくとも1つの第1のロック部材51と、少なくとも1つの第2のロック部材52と、を含む。ロック装置48の第1のロック部材51および第2のロック部材52は、第1の連結部品8を第2の連結部品9にロックするのに適している。好ましくは、第1のロック部材51と第2のロック部材52とのロックは一時的である。しかしながら、これは、第1のロック部材51と第2のロック部材52とが互いにさらに永続的に接続されることを排除するものではない。
【００３５】
例示的な実施形態では、第1のロック部材51は、少なくとも1つの第1のフラップ53、または類似のものからなる。例示的な実施形態では、ロック装置48は、少なくとも1つの第1のフラップ53と、少なくとも1つの第2のフラップ54と、を含む。それぞれの第1のフラップ53および第2のフラップ54は、それぞれの各フラップが接続される軸55、ペグまたは類似のものの回転軸の周りで、旋回可能に配置される。軸55はそれぞれ、ブラケット49の取り付け部材56に接続される。例示的な実施形態では、取り付け部材56は、ブラケット49またはインサート14の孔57からなる。各フラップ53および54は、貫通孔58を介して各軸55に接続される。フラップ53および54は、連結部品8および9のロック位置を構成する第1の位置と、連結部品8および9のロック解除位置を構成する少なくとも1つの第2の位置との間で、旋回可能に配置される。
【００３６】
図6Aおよび図6Bを参照すると、例示的なフラップ53および54がさらに詳細に示されている。フラップ53および54はそれぞれ、少なくとも1つの第1のフラップ部品59と、少なくとも1つの第2のフラップ部品60と、を含む。フラップ53および54はそれぞれ、少なくとも1つのバネ61または類似のものを介して、バネ仕掛けになっている。例示的な実施形態では、バネ61は、ねじりバネからなる。代替的な実施形態では、バネ61は、目的に適した別のタイプのバネとすることができる。各フラップ53およびフラップ54は、雄部材に向かって旋回されるように少なくとも1つのバネ61によって作用される。各フラップ53および54は、雄部材の各トラック31に入る。
【００３７】
このデザインは、少なくとも1つの係合解除装置62を含み、これによってロック装置48は、第1の連結部品8および第2の連結部品9が互いから解放されるように作動され得る。係合解除装置62は、少なくとも1つのブラケット63を含む。ブラケット63は、本体10に接続される。本体10へのブラケット63の接続は、少なくとも1つのファスナ64を介して行われ得、これは、例えば、本体10の少なくとも1つの孔66に接続される、少なくとも1つのねじ65からなる。例示的な実施形態では、係合解除装置62は、少なくとも1つの半径方向に転置可能な(スライド可能な)第1の係合解除部材67で構成され、これは、少なくとも1つの第1の操作部材68で動作される。係合解除部材67は、ブラケット63の第1の孔69および本体10の第2の孔70を介して旋回可能に配置される。係合解除部材67は、少なくとも1つの第1のバネ71を介してバネ仕掛けになっており、第1のロック部材72を含み、これは、係合解除部材67が、バネの力によって孔69を通って本体10から意図せずに係合解除されるのを防ぐ。
【００３８】
例示的な実施形態では、係合解除部材67は、少なくとも1つの半径方向に転置可能な(スライド可能な)第2の係合解除部材73も含み、これは、少なくとも1つの第2の操作部材74で動作される。第2の係合解除部材73は、ブラケット63に対して旋回可能に配置される。第2の係合解除部材73は、ブラケット63の第1の第2の孔75および本体10の第2の第2の孔76を介して旋回可能に配置される。第2の係合解除部材73は、少なくとも1つの第2のバネ77を介してバネ仕掛けになっており、少なくとも1つの第2のロック部材78を含み、これは、第2の係合解除部材73が、孔75を通って本体10から意図せずに係合解除されるのを防ぐ。
【００３９】
図6Aおよび図6Bを参照すると、フラップ53およびフラップ54の第1の実施形態が示されている。第2のフラップ部品60はロック部材79を含み、これは、雄部材26のトラック31と係合するのに適している。例示的な実施形態では、ロック部材79は角度部品80の一部である。例示的な実施形態では、ロック部材79は、角度部品80の第1の部品81からなる。角度部品80の第2の部品82は、バネ61の支持体である。角度部品80は、少なくとも1つの旋回制限部品、表面83を含み、これは、フラップ53および/またはフラップ54の最大旋回を制限し、それによって、フラップは雌部品の軸方向中心に対してあまり遠くにスイングしない。
【００４０】
あるいは、第1のフラップ53および第2のフラップ54は、雄部材26に向かって旋回するようにそれぞれのバネ61によって作用され、それによって、雄部材26が雌部材13に挿入されるとトラック31との一時的なロックが行われる。雄部材26が雌部材13に挿入されると、第1のフラップ53および第2のフラップ54は、雌部材13の中心からスイングされるように雄部材26によって作用され、その結果、それぞれのバネ61が締められる。フラップ53および54ならびにロック部材79がそれぞれの各トラック31の位置に到達すると、それぞれの各バネ61の第1のフラップ53および第2のフラップ54が、溝31の中へとスイングされるように作用され、その結果、第1の連結部品8および第2の連結部品9は互いにロックされる。
【００４１】
第1の係合解除部材67は、第1のフラップ53の第1のフラップ部品59に作用して、軸の回転軸の周りで旋回させ、それによって、第2のフラップ54の第2のフラップ部品60は雄部材のトラック31との係合から外れてスイングされる。第2の係合解除部材73は、第2のフラップ54の第1のフラップ部品59に作用して、軸55の回転軸の周りで旋回させ、それによって、第2のフラップ部品60は、雄部材26のトラック31との係合から外れてスイングされる。係合解除部材67および73の両方は、第1の連結部品8および第2の連結部品9を解放するために、係合されなければならない。係合解除部材67または73のうちの1つのみが係合される場合、第1の連結部品8は第2の連結部品9から解放されない。したがって、第1の係合解除部材67または第2の係合解除部材73のうちの1つのみが操作されることは十分ではない。
【００４２】
例示的な実施形態では、第1の連結部品8は、補綴具(美容カバー)7のための少なくとも1つの第1のホルダー84、あるいはカバー、ブラケット、または取り付け装置を含む。補綴具は、第1のホルダー84に接続される。あるいは、ホルダー84は補綴具と一体化される。補綴具7のための第1のホルダー84は、トレイ型部品85からなる。トレイ型部品85は、縁部87を備えた少なくとも1つのプレート86を含む。補綴具のためのホルダー84は、ロック装置48のためのブラケット63に接続される。例示的な実施形態では、取り付けはクイックリリースブラケット88によって達成される。代替的な実施形態では、取り付けは、他の適切な技術により行われる。
【００４３】
例示的な実施形態では、第2の連結部品9は、補綴具7のための少なくとも1つの第2のホルダー89、あるいはカバー、ブラケット、または取り付け装置を含む。補綴具は、第1のホルダー84に接続される。あるいは、ホルダー84は補綴具と一体化される。この実施形態では、補綴具7のための第2のホルダー89は、第2のトレイ型部品90からなる。第2のトレイ型部品90は、少なくとも1つの第2のプレート91と、少なくとも1つの第2の縁部92と、を含む。補綴具7のための第2のホルダー89は、第2の連結部品9に接続される。このデザインは、ホルダー89のための少なくとも1つのブラケット93を含み、これはリング型部材94からなる。例示的な実施形態では、取り付けは、クイックリリースブラケットによって達成される。代替的な実施形態では、取り付けは、他の適切な技術により行われる。
【００４４】
図8を参照すると、本発明の連結装置1の代替的な実施形態が示されており、ここでは、少なくとも1つの減衰装置95を含む。減衰装置95は、プレテンション装置として見ることもできる。例示的な実施形態では、減衰装置は、少なくとも1つの減衰材料層96からなる。減衰材料層96は、目的に適した材料からなる。減衰材料層96は、雄部材26および雌部材13、インサート、またはブラケットの表面間に位置する。
【００４５】
図10を参照すると、補綴具が、補綴具のための第1のホルダー84、あるいはカバー、ブラケット、または取り付け装置、および補綴具のための第2のホルダー89、あるいはカバー、ブラケット、または取り付け装置に接続されている、代替的な実施形態が示されている。代替的な実施形態では、プロテーゼの機能に電気エネルギーを供給するための、少なくとも1つのアキュムレータ97が、補綴具7に接続されるか、またはこれと一体化される。電気配線が、アキュムレータと、プロテーゼの電気で動作するユニットとを接続する。必要な配線が、アキュムレータに接続される。第1の連結部品と第2の連結部品との分離を可能にするため、これらの連結部品は、さまざまなプロテーゼ部品の電気配線を接続するためのコネクタを含む。
【００４６】
図9A〜図9Cを参照すると、連結装置1の代替的な実施形態が示されている。この代替的な実施形態では、連結装置1は、少なくとも1つの第1の連結部品8と、少なくとも1つの第2の連結部品9と、を含む。第1の連結部品8は、第1の連結部材11を含む。第2の連結部品9は、少なくとも1つの第2の連結部材25を含む。第1の連結部材11は、1つの雌部材13からなり、第2の連結部材25は、雄部材26からなる。例示的な実施形態では、雌部材13は、正方形または矩形断面を備えた孔からなる。この実施形態では、雄部材26は、正方形または矩形断面を備えたピン(ペグ、だぼ)からなる。このデザインは、少なくとも1つのロック装置48と、少なくとも1つの係合解除装置62と、を含む。
【００４７】
図11Aおよび図11Bを参照すると、本発明の連結装置1の代替的な実施形態が示されている。図11Aでは、連結装置1の代替的な実施形態が断面で示され、補綴具7のためのホルダー84および89、あるいはカバー、ブラケット、または取り付け装置は省略されている。しかしながら、これは、図11Aに示すような連結装置1の代替的な実施形態が、補綴具のためのホルダー84および89、あるいはカバー、ブラケット、または取り付け装置を含み得ることを排除するものではない。図11Bでは、連結装置1の代替的な実施形態が分解組立図で示され、これは、補綴具7のためのホルダー84および89の例示的な実施形態を含む。第1の実施形態で記載した、第2の実施形態において同様である、このデザインの詳細、位置は、さらに詳述しないが、第1の実施形態の説明を参照される。
【００４８】
図11Bの分解組立図で示された連結装置1の代替的な実施形態では、連結装置1は、少なくとも1つのコネクタ98を含む。例示されたコネクタ98は、接続および分離され得る、少なくとも1つの第1のコネクタ部品99および少なくとも1つの第2のコネクタ部品100を含む。第1のコネクタ部品99は、ブラケット101、孔、貫通孔などを介して、第1のホルダー84に接続される。第2のコネクタ部品100は、第2のブラケット102、孔、貫通孔などを介して、第2のホルダー89に接続される。図11Aおよび図11Bでは、ねじ103または類似のものが、第1のピラミッド状連結具43内に示され、ねじ104または類似のものが、第2のピラミッド状連結具46内に示される。ピラミッド状連結具のデザインは、以前から知られている種類のものであり、さらに詳細には説明しない。
【００４９】
連結装置1の代替的な実施形態では、これは、少なくとも1つの第1の連結部品8と、少なくとも1つの第2の連結部品9と、を含む。連結装置1の第1の連結部品8および第2の連結部品9は、特別なツールまたは歯車なしで互いに接続され、かつ互いから分離され得るように設計される(これは、筋肉の弱いユーザが連結装置を接続または分離するのを助けるためにある種のツールまたは補助具を必要とし得ることを排除するものではない)。これは、補綴具が第1の連結部品8および第2の連結部品9に接続される場合に特に当てはまる。連結装置1の代替的な実施形態の目的は、第1の連結部品8および第2の連結部品9が互いに接続された場合に、連結装置1の構成要素間の遊びの発生をさらに減少させることである。遊びの減少は、連結装置1の構成要素の改変、例えば、好ましくは、第1の連結部品8、第2の連結部品9、インサート14、およびロック部材51および52ならびにフラップ53および54の改変によって達成され、これは、図12〜図15を参照して以下でさらに詳細に説明する。連結部品8、インサート14、および第2の連結部品9は、前記要素間の遊びが実質的な最低限まで減少されるように、それらを相互に操縦する結合(インターロック、嵌合)形状を含む。
【００５０】
図12Aおよび図12Bを参照すると、第1の連結部品8の代替的な実施形態が示されている。第1の連結部品8は、少なくとも1つの第1の連結部材11を含む少なくとも1つの第1の本体10を含む。代替的な実施形態では、第1の連結部品8の本体10は、図11Aおよび図11Bに示す、少なくとも1つのガイドピン106のための、少なくとも1つの孔105および不図示の少なくとも1つの反対側の孔を含む。ガイドピン106は、孔105を通り、内側空間を通って、反対側の孔に挿入される。ガイドピンは、第1の連結部品8に対して横向きである。ガイドピン106および孔の機能は、雄部材26の自由端部33に位置する、連結部品8の操縦装置34に対するインサート14の位置を制御することである。第2の連結部品9は、反対端部、すなわち、ピラミッド状連結具の雌部品を含む端部に、少なくとも1つの第1の凹部107および少なくとも1つの第2の凹部107を含む。第1の凹部107および第2の凹部107は互いに向かい合っている。凹部107は、第2の連結部品9の雄部材26に対して、操縦表面、接触表面である、第3の操縦表面108、第4の操縦表面109、および第5の操縦表面110を含む。
【００５１】
図13は、インサート14の代替的な実施形態を示す。インサート14のこの代替的な実施形態では、第1の実施形態によるインサートによる第3の装着部品20は存在していない。インサート14の第1の実施形態における第1の装着部品18によって達成される機能は、インサート14における前述したガイドピン106および凹部111の第2の実施形態において達成される。ガイドピン106は、第1の実施形態による装着部品と一体化されていない。ガイドピン106は、組み立ておよび分解され得る要素からなる。ガイドピン106は、インサート14の第1の実施形態における横向きの中間装着部品20に取って代わる。ガイドピン106は、好ましくは丸い断面を有する。インサート14の第1の装着部品(ファスナ)18および第2の装着部品(ファスナ)19は、それらの自由端部のそれぞれに、前述した凹部111のうちの少なくとも1つを含む。1つの凹部111、複数の凹部111は、好ましくは、半径方向に成形された凹部または凸状の凹部からなる。第1の装着部品(ファスナ)18における第1の凹部111の軸方向、および第2の装着部品(ファスナ)19における凹部111の軸方向は、互いに一致するか、または実質的に一致する。第1の装着部品(ファスナ)および第2の装着部品(ファスナ)は、少なくとも1つの接合部品112、好ましくは少なくとも1つの第1の接合部品112および少なくとも1つの第2の接合部品113によって、一緒に保持される。
【００５２】
インサート14は、少なくとも1つの第3の凹部114または類似のものを含む。例示的な実施形態では、インサートは、少なくとも1つの第1の第3の凹部114と、少なくとも1つの第2の第3の凹部と、を含む。第3の凹部114は、少なくとも1つの第6の操縦表面115、少なくとも1つの第7の操縦表面116、および少なくとも1つの第8の操縦表面117を含む。
【００５３】
この実施形態では、インサートは、少なくとも1つの第1の側面118、少なくとも1つの反対側面119、少なくとも1つの第2の側面120および少なくとも1つの第2の反対側面121を備えた正方形の孔で構成される雌部材を形成する。この実施形態の雌部材を構成する、正方形の孔に対して、第2の連結部品の雄部材26が接続されるのに適している。雌部材は、好ましくは正方形断面を有するが、これは、雌部材が正方形とは異なる形態(形状)の断面を有し得ることを排除するものではない。
【００５４】
図14Aおよび図14Bを参照すると、第2の連結部品9の代替的な実施形態が示されている。第2の連結部品9は、第2の連結部品における雌部材、およびインサート14への接続に適した、少なくとも1つの雄部材26を含む。図14に示す実施形態では、雄部材26は、その自由端部33において、少なくとも1つの操縦装置34を含み、これは、雄部材26を雌部材13に接続する際に、雌部材13と雄部材26との間の相互位置をガイドする。自由端部33における操縦装置34は、例示的な実施形態では、雄部材26の側面27から雄部材26の反対側面28に延びる第4の凹部122(第1の実施形態における中間トラック37に等しい)からなる。凹部122は、好ましくは、ガイドピン106の形状および半径と相互作用する、半径形状を有する。凹部122の前記半径形状、およびガイドピン106の形状は、半径形状以外の別の目的に適した形状(形態)とすることができる。
【００５５】
図14を参照すると、雄部材は、第1の連結部品8、インサート14、および第2の連結部品9を互いに対してさらに位置付ける、操縦表面、ガイド部品を含むことが示されている。例示的な実施形態では、遊びの減少は、半径方向に雄部材からの方向に広がりを延ばす、少なくとも1つのセグメント123またはガイド表面を含む第2の連結部品の雄部材26によって、とりわけ第1の連結部品8と第2の連結部品9との間で達成される。さらに、セグメント123、ガイド表面は、雄部材26の軸方向に延長部を有する。セグメント123は、少なくとも1つの第4のガイドエッジ124またはガイド表面と、少なくとも1つの第5のガイドエッジ125またはガイド表面と、を含み、これらは、インサート14における凹部114、表面115および117または類似のものに対して、また、第1の連結部品8における表面108および109に対して、操縦される。
【００５６】
第2の連結部品はまた、少なくとも1つの第9のガイド表面126と、少なくとも1つの第10のガイド表面127と、を含み、これは、第1の連結部品8に対して第2の連結部品9を操縦する。前記ガイド表面および凹部の形態(形状)は、本発明の範囲内でさまざまであってよい。
【００５７】
図15は、第1のフラップ53および第2のフラップ54の代替的な実施形態を示す。例示的な実施形態では、第1のフラップ53および第2のフラップ54は、同一であるか、または実質的に同一である。例示的な代替的な実施形態では、フラップ53および54は、少なくとも1つのロック部材79を含み、これは、雌部材と雄部材とを接続する際に、雄部材のV字型トラック31と係合する。雄部材のトラック31は、ロック部材79の形態(形状)に適合される。それぞれの各フラップ53および54はまた、バネ支持体128を含み、これは、例示的な実施形態では丸い断面を備えたロッド129からなり、これは、フラップ53またはフラップ54の孔に取り付けられる。フラップ53あるいはフラップ54の例示的な実施形態では、それぞれの各フラップ53および54は、孔の軸方向に延びる少なくとも1つのスリット130を含み、これにより、孔131は、孔の周りの材料とロッドとの間でバネのような効果、ロックが達成されるような寸法とすることができる。
【００５８】
代替的な実施形態による各フラップ53、54のデザインは、フラップ53、54の第1の実施形態によるデザインと比べて、フラップ53、54を製造するコストを低減する利点を有する。
【００５９】
図16Aおよび図16Bは、連結装置1が、少なくとも1つのアキュムレータ、バッテリーまたは類似のもののための、少なくとも1つのバッテリーパック(バッテリーパッケージ)132を含むことを示す。図示のバッテリーパック(バッテリーパッケージ)132は、単に例示的なものであり、バッテリーパック132の実施形態にとって限定的なものではない。例示的なバッテリーパック(バッテリーパッケージ)132は、少なくとも1つの第1の半部133および少なくとも1つの第2の半部134を含み、これらは、互いに接続され、かつ互いから分離され得る。第1の半部133および第2の半部134は、中央に位置付けられた貫通孔、孔または類似のものを、軸方向に含み、これを通って、プロテーゼの一部が運ばれる。第1の半部133および第2の半部134が互いに取り付けられると、少なくとも1つの内部空間135が形成され、ここに少なくとも1つのアキュムレータが保管される。例示的な実施形態では、空間135は、アキュムレータ、バッテリーなどが設置される、部分空間を含む。バッテリーパック132の形態(形状)は、本発明の範囲内で広く変化し得る。
【００６０】
図17A〜図17Cを参照すると、相互接続された連結装置1が、代替的な実施形態に従って、異なる図で示されている。図17Aは、孔105内の固定位置にある場合のガイドピン106の位置を示す。
【００６１】
図17Bは、ガイドピン106と凹部122との間の協働を示す。この図はまた、フラップ53および54をそれらの関連するロッド129と共に示す。この図はまた、位置間の相互作用を示す。
【００６２】
図17Cを参照すると、代替的な実施形態における、相互接続された連結装置1が示され、ホルダー84およびホルダー89の平坦部が、プロテーゼ2の第1の部品3およびプロテーゼ2の第2の部品4の補綴具7間で、互いに、また分割領域136に接して位置している。
【００６３】
本発明の連結装置の詳細な説明では、連結装置の分野の専門家には明らかな細部は省略された場合がある。そのような明らかな細部は、本発明の連結装置の適切な機能を得るのに必要な範囲で含まれる。
【００６４】
連結装置のある好適な実施形態がさらに詳細に説明されたが、連結装置の変形および改変が、本発明の分野の専門家には明らかとなり得る。そのような改変および変形はすべて、後続の特許請求の範囲内に含まれるとみなされる。
【００６５】
代替的な実施形態では、連結装置は逆に使用され得、すなわち、第1の連結部品8がプロテーゼの第1の部品に接続され、第2の連結部品9がプロテーゼの第2の部品に接続される。さらに、第1の連結部品8および第2の連結部品9におけるピラミッド状連結具の雌要素のうちの少なくとも1つは、雄部品からなることができる。
【００６６】
発明の利点
本発明は、いくつかの利点を達成する。最も明らかなものは、背景技術で記載した問題のうちの少なくとも1つが排除されるか、または実質的に低減されることである。例えば、本発明の連結装置のデザインは、第1の連結部品と第2の連結部品とを接続または分離するのにツールが必要ないことを意味する。本発明の連結装置のさらなる利点は、補綴具装置のために取り付け装置を含むことである。
【符号の説明】
【００６７】
1  連結装置
2  プロテーゼ
3  第1の部品
4  第2の部品
5  脚
6  スリーブ
7  補綴具
8  第1の連結部品
9  第2の連結部品
10  第1の本体
11  第1の連結部材
12  孔
13  雌部材
14  インサート
15  第1の表面
16  第2の表面
17  ジャンパー型部品
18  第1の装着部品
19  第2の装着部品
20  第3の装着部品
21  隙間
22  第1の操縦表面
23  第2の操縦表面
24  第2の本体
25  第2の連結部材
26  雄部材
27  第1の側面
28  第1の反対側面
29  第2の側面
30  第2の反対側面
31  トラック
32  ロック表面
33  自由端部
34  操縦装置
35  第1の操縦エッジ
36  第2の操縦エッジ
37  中間トラック
38  第3の操縦エッジ
39  第1の凹部
40  第1のベベル
41  第2のベベル
42  取り付け装置
43  第1のピラミッド状カプラ
44  雌部品
45  第2の取り付け装置
46  第2のピラミッド状カプラ
47  雌部品
48  ロック装置
49  ブラケット
50  ファスナ
51  第1のロック部材
52  第2のロック部材
53  第1のフラップ
54  第2のフラップ
55  軸
56  取り付け部材
57  孔
58  貫通孔
59  第1のフラップ部品
60  第2のフラップ部品
61  バネ
62  係合解除装置
63  ブラケット
64  ファスナ
65  ねじ
66  孔
67  係合解除部材
68  第1の操作部材
69  第1の孔
70  第2の孔
71  第1のバネ
72  第1のロック部材
73  第2の係合解除部材
74  第2の操作部材
75  第1の第2の孔
76  第2の第2の孔
77  第2のバネ
78  第2のロック部材
79  ロック部材
80  角度部品
81  第1の部品
82  第2の部品
83  表面
84  第1のホルダー
85  トレイ型部品
86  プレート
87  縁部
88  クイックリリースブラケット
89  第2のホルダー
90  第2のトレイ型部品
91  第2のプレート
92  第2の縁部
93  ブラケット
94  リング型部材
95  減衰装置
96  減衰材料層
97  アキュムレータ
98  コネクタ
99  第1のコネクタ部品
100  第2のコネクタ部品
101  ブラケット
102  第2のブラケット
103  ねじ
104  ねじ
105  孔
106  ガイドピン
107  凹部
108  第3の操縦表面
109  第4の操縦表面
110  第5の操縦表面
111  凹部
112  第1の接合部品
113  第2の接合部品
114  第3の凹部
115  第6の操縦表面
116  第7の操縦表面
117  第8の操縦表面
118  第1の側面
119  反対側面
120  第2の側面
121  第2の反対側面
122  凹部
123  セグメント
124  第4のガイドエッジ
125  第5のガイドエッジ
126  第9のガイド表面
127  第10のガイド表面
128  バネ支持体
129  ロッド
130  スリット
131  孔
132  バッテリーパック
133  第1の半部
134  第2の半部
135  内部空間
136  分割領域
【図１Ａ】
2021528160.tif 000003
【図１Ｂ】
2021528160.tif 000004
【図２Ａ】
2021528160.tif 000005
【図２Ｂ】
2021528160.tif 000006
【図２Ｃ】
2021528160.tif 000007
【図２Ｄ】
2021528160.tif 000008
【図３Ａ】
2021528160.tif 000009
【図３Ｂ】
2021528160.tif 000010
【図３Ｃ】
2021528160.tif 000011
【図３Ｄ】
2021528160.tif 000012
【図４Ａ】
2021528160.tif 000013
【図４Ｂ】
2021528160.tif 000014
【図５】
2021528160.tif 000015
【図６Ａ】
2021528160.tif 000016
【図６Ｂ】
2021528160.tif 000017
【図７Ａ】
2021528160.tif 000018
【図７Ｂ】
2021528160.tif 000019
【図８】
2021528160.tif 000020
【図９Ａ】
2021528160.tif 000021
【図９Ｂ】
2021528160.tif 000022
【図９Ｃ】
2021528160.tif 000023
【図１０】
2021528160.tif 000024
【図１１Ａ】
2021528160.tif 000025
【図１１Ｂ】
2021528160.tif 000026
【図１２Ａ】
2021528160.tif 000027
【図１２Ｂ】
2021528160.tif 000028
【図１３Ａ】
2021528160.tif 000029
【図１３Ｂ】
2021528160.tif 000030
【図１３Ｃ】
2021528160.tif 000031
【図１４Ａ】
2021528160.tif 000032
【図１４Ｂ】
2021528160.tif 000033
【図１５Ａ】
2021528160.tif 000034
【図１５Ｂ】
2021528160.tif 000035
【図１６Ａ】
2021528160.tif 000036
【図１６Ｂ】
2021528160.tif 000037
【図１７Ａ】
2021528160.tif 000038
【図１７Ｂ】
2021528160.tif 000039
【図１７Ｃ】
2021528160.tif 000040
【国際調査報告】
2021528160.tif 000041
2021528160.tif 000042
2021528160.tif 000043
2021528160.tif 000044